(57)【要約】      （修正有）【課題】電気部品ケースの内部の露出を取付方向について簡単に抑制又は防止でき、且つ、ロックアームが周辺部品と電気部品ケースとの手の届かない隙間に配置される場合であっても、ロックを解除することができるブラケットへの電気部品ケースの取付構造を提供する。【解決手段】先端部に係合孔６１を備えた板状のブラケット６０と、ブラケット６０を取付方向Ｙに沿ってスライド可能に遊嵌する左右一対のガイド部５２、５３、及び内側に撓むロックアーム５１を平面状の外面５０ｂに備えた電気部品ケース５０とからなり、ロックアーム５１の外面５１ｂに突設された係止突起５５を係合孔６１に対して係合させることで、電気部品ケース５０とブラケット６０とがロックされる。【選択図】図１
2008300697.tif 000002
【特許請求の範囲】
【請求項１】
先端部に係合孔を備えた板状のブラケットと、前記ブラケットを取付方向に沿ってスライド可能に遊嵌する左右一対のガイド部、及び内側に撓むロックアームを平面状の外面に備えた電気部品ケースとからなり、前記ロックアームの外面に突設された係止突起を前記係合孔に対して係合させることで、前記電気部品ケースと前記ブラケットとがロックされるブラケットへの電気部品ケースの取付構造において、
前記電気部品ケースは、前記取付方向に対して略垂直な軸方向に沿って型抜きすることで形成された、内底を有する箱形状であって、
前記ガイド部の各々は、前記電気部品ケースの前記内底に設置された開口部が略反転された形状であって、前記開口部に対向して前記電気部品ケースの外側に設置された第１の平板部と、前記第１の平板部の外側面から前記開口部の縁まで前記電気部品ケースの略型抜き方向に沿って延設された第２の平板部とから構成され、
前記ブラケットは、ロックを解除するための棒状体を取付方向に沿ってスライド可能に支持するための支持部をその先端部に備え、
前記ロックアームは、前記支持部の内側にスライド可能に支持された前記棒状体の先端面によって押圧されるための面であって、前記棒状体の前記先端面からの距離が下方向に向かって短くなる形状の面を有する被押圧部をその外面に備えることを特徴とするブラケットへの電気部品ケースの取付構造。
【発明の詳細な説明】
【技術分野】
【０００１】
本発明は、ワイヤーハーネス等の電気部品を収納するケースを、車体パネル等に固定されたブラケットに取付けるためのブラケットへの電気部品ケースの取付構造に関する。
【背景技術】
【０００２】
従来から、ワイヤーハーネス等の電気部品を収納するケースを、車体パネル等に固定されたブラケットに取付けるためのブラケットへの電気部品ケースの取付構造が知られている（例えば、特許文献１参照）。
【０００３】
図３は、上記従来の構成のブラケットへの電気部品ケースの取付構造を示した斜視図である。このブラケットへの電気部品ケースの取付構造は、図３に示すように、電気部品ケース１のロックアーム１１の係止突起１４をブラケット２の係合孔３１に係合させることで、電気部品ケース１とブラケット２とがロックされる。この取付構造は、その特徴的な部分として、係止突起１４に向けてブラケット２の係合孔３１を押圧する弾性部２６、２７を電気部品ケース１に備えている。係止突起１４に係合孔３１の縁を押圧することで、ブラケット２に対する電気部品ケース１の上下方向のガタ付きが防止されると共に、係止突起１４と係合孔３１の縁の摩擦抵抗でブラケット２に対する電気部品ケース１の前後方向、及び左右方向のガタ付きも防止される。
【０００４】
また、上記従来の構成のブラケットへの電気部品ケースの取付構造は、ロックアーム１１の先端部１５が電気部品ケース１よりもロックアーム１１長手方向に突出している。このため、メンテナンス等で電気部品ケース１をブラケット２から離脱させる場合は、手でロックアーム１１の露出した先端部１５を撓み方向に操作することで、ロックが解除される。したがって、ロックアーム１１が周辺部品と電気部品ケース１との手の届かない隙間に配置される場合であっても、ロックアーム１１の露出した先端部１５を操作すれば、ロックを解除することができる。
【特許文献１】特開２０００−１５１１２９号公報
【発明の開示】
【発明が解決しようとする課題】
【０００５】
しかしながら、上記従来の構成のブラケットへの電気部品ケースの取付構造では、図３に示すように、電気部品ケース１の内部が取付方向に露出されるという問題があった。これは、ブラケット２を取付方向にスライド可能に遊嵌するスライド係合部１７、１８を、取付方向に沿って延設させるべく、樹脂製の電気部品ケース１の型抜きが取付方向に沿って行われることに起因する。電気部品ケース１の内部の露出を取付方向について防止するためには、例えば、蓋を新たに取付けるか、或いは、型抜き方向に略直交する方向へ型抜きを行うことができるスライド型を追加で用いる必要があった。
【０００６】
また、上記従来の構成のブラケットへの電気部品ケースの取付構造では、ロックアーム１１を撓み方向に操作するための切欠部が電気部品ケース１に形成されているため、電気部品ケース１の内部が、ロックアーム１１の長手方向に、つまり、取付方向に露出されているという問題があった。
【０００７】
本発明は、上記に鑑みてなされたものであって、蓋を新たに取付ることなく、スライド型を追加で用いることなく、電気部品ケース１の内部の露出を取付方向について簡単に抑制又は防止でき、且つ、ロックアーム１１が周辺部品と電気部品ケース１との手の届かない隙間に配置される場合であっても、ロックを解除することができるブラケットへの電気部品ケースの取付構造の提供を目的とする。
【課題を解決するための手段】
【０００８】
前記目的を達成するため、本発明は、先端部に係合孔を備えた板状のブラケットと、前記ブラケットを取付方向に沿ってスライド可能に遊嵌する左右一対のガイド部、及び内側に撓むロックアームを平面状の外面に備えた電気部品ケースとからなり、前記ロックアームの外面に突設された係止突起を前記係合孔に対して係合させることで、前記電気部品ケースと前記ブラケットとがロックされるブラケットへの電気部品ケースの取付構造において、
前記電気部品ケースは、前記取付方向に対して略垂直な軸方向に沿って型抜きすることで形成された、内底を有する箱形状であって、
前記ガイド部の各々は、前記電気部品ケースの前記内底に設置された開口部が略反転された形状であって、前記開口部に対向して前記電気部品ケースの外側に設置された第１の平板部と、前記第１の平板部の外側面から前記開口部の縁まで前記電気部品ケースの略型抜き方向に沿って延設された第２の平板部とから構成され、
前記ブラケットは、ロックを解除するための棒状体を取付方向に沿ってスライド可能に支持するための支持部をその先端部に備え、
前記ロックアームは、前記支持部の内側にスライド可能に支持された前記棒状体の先端面によって押圧されるための面であって、前記棒状体の前記先端面からの距離が下方向に向かって短くなる形状の面を有する被押圧部をその外面に備えることを特徴とする。
【発明の効果】
【０００９】
本発明によれば、蓋を新たに取付けることなく、スライド型を追加で用いることなく、電気部品ケースの内部の露出を取付方向について簡単に抑制又は防止でき、且つ、ロックアームが周辺部品と電気部品ケースとの手の届かない隙間に配置される場合であっても、取付方向に沿って棒状体を支持部に挿入することでロックを解除できる。
【発明を実施するための最良の形態】
【００１０】
以下、図面を参照して、本発明を実施するための最良の形態の説明を行う。尚、本実施例の説明において、上とは、電気部品ケース５０の内底面５０ａに対して略垂直な方向Ｘ（図１参照）であって、電気部品ケース５０に対して外側の方向を意味し、下とは、電気部品ケース５０の内底面５０ａに対して略垂直な方向Ｘであって、電気部品ケース５０に対して内側の方向を意味する。また、左右とは、電気部品ケース５０をブラケット６０に取付ける際の取付方向Ｙ、及び方向Ｘに対して略垂直な方向Ｚを意味する。
【００１１】
図１は、本実施例のブラケットへの電気部品ケースの取付構造の概略を示した図で、（Ａ）は電気部品ケース５０をブラケット６０に取付ける前の状態を示した斜視図、（Ｂ）は電気部品ケース５０をブラケット６０に取付けた状態を（Ａ）の矢視Ａ−Ａから見た断面図である。本実施例のブラケットへの電気部品ケースの取付構造は、図１に示すように、ブラケット６０と電気部品ケース５０とから構成される。ブラケット６０は、先端部に略長方形状の係合孔６１を備え、電気部品ケース５０は、その内側へ撓むロックアーム５１、及びブラケット６０を取付方向Ｙに沿ってスライド可能に遊嵌する左右一対のガイド部５２、５３を備える。電気部品ケース５０のロックアーム５１の外面５１ｂに突設させた係止突起５５を、ブラケット６０の係合孔６１に係合させることで、電気ケース５０とブラケット６０とがロックされる。以下、各構成について詳説する。
【００１２】
ブラケット６０は、その特徴的な構成として、その先端部に、ロックを解除するための棒状体９１（図２参照）を取付方向Ｙに沿ってスライド可能に支持すべく、その幅方向両側端から中央にかけて上方向に段状に屈曲して形成された支持部６２を備える。この支持部６２の高さ（段差）寸法は、後述の係止突起５５の高さ寸法に対して十分低く設定され、係合孔６１に対して係止突起５５が係合可能に設定されている。
【００１３】
電気部品ケース５０は、図１に示すように、内底５０ａを有する箱状の形状であり、その内部には、図示しない電気部品等を収納することができる。電気部品ケース５０は、取付方向Ｙに対して略垂直な略上下方向Ｘに沿って型抜きを行うことで、蓋を新たに取付ることなく、スライド型を追加で用いることなく、一体的に製造される。このため、蓋を新たに取付ることなく、スライド型を用いることなく、電気部品ケース５０の内部の露出を取付方向Ｙについて簡単に抑制又は防止することができる。
【００１４】
電気部品ケース５０の左右一対のガイド部５２、５３は、電気部品ケース５０の外側に向けて突設され、ブラケット６０を取付方向Ｙに沿ってスライド可能に遊嵌する。本実施例のガイド部５２、５３の各々は、その特徴的な構成として、開口部５２ａ、５３ａが各々略反転された形状の第１の平板部５２ｂ、５３ｂと、第１の平板部５２ｂ、５３ｂの外側面から開口部５２ａ、５３ａの縁まで電気部品ケース５０の略型抜き方向（略上下方向Ｘ）に沿って延設された開口部第２の平板部５２ｃ、５３ｃとから構成される。
【００１５】
開口部５２ａ、５３ａは、ブラケット６０の幅方向寸法に対応した所定の位置に設置され、電気部品ケース５０の内底面５０ａから外面５０ｂまで貫通する略長方形の形状の貫通孔である。
【００１６】
第１の平板部５２ｂ、５３ｂの各々は、開口部５２ａ、５３ａが略反転された形状であって、開口部５２ａ、５３ａに対向して、電気部品ケース５０の外側に設置される。第１の平板部５２ｂ、５３ｂと電気部品ケース５０の外面５０ｂとの上下方向Ｘの隙間は、ブラケット６０の厚さ方向（上下方向Ｘ）寸法より僅かに大きめに設定される。このため、電気部品ケース５０をブラケット６０に取付ける際、第１の平板部５２ｂ、５３ｂと電気部品ケース５０の外面５０ｂとがブラケット６０の上下面に摺接することで、ブラケット６０に対してスライドする電気部品ケース５０の姿勢を、略上下方向Ｘについて規定することができる。
【００１７】
また、第１の平板部５２ｂ、５３ｂは、開口部５２ａ、５３ａが略反転された形状であって、その外形寸法が開口部５２ａ、５３ａの外形寸法に対して僅かに小さめに形成される。したがって、第１の平板部５２ｂ、５３ｂの下方向に投影してなる投影部の外縁は、それぞれ開口部５２ａ、５３ａ内に収まる。このため、開口部５２ａ、５３ａ、及び第１の平板部５２ｂ、５３ｂは、略上下方向Ｘに沿って型抜きを行うことで、スライド型を追加で用いることなく、電気部品ケース５０と一体的に製造される。
【００１８】
第２の平板部５２ｃ、５３ｃは、板状の形状であって、第１の平板部５２ｂ、５３ｂと共にブラケット６０を遊嵌すべく、図１に示すように、第１の平板部５２ｂ、５３ｂの左右方向Ｚの外側面から、開口部５２ａ、５３ａの縁まで、電気部品ケース５０の略型抜き方向（略上下方向Ｘ）に沿って延設される。第２の平板部５２ｃと第２の平板部５３ｃとの左右方向Ｚの隙間は、ブラケット６０の幅方向（左右方向Ｚ）寸法より僅かに大きめに設定される。このため、電気部品ケース５０をブラケット６０に取付ける際、第２の平板部５２ｃと第２の平板部５３ｃとがブラケット６０の両側面に摺接することで、ブラケット６０に対してスライドする電気部品ケース５０の姿勢を、略左右方向Ｚについて規定することができる。
【００１９】
また、第２の平板部５２ｃ、５３ｃは、上述したように、電気部品ケース５０の略型抜き方向（略上下方向Ｘ）に延設されて形成されているため、略上下方向Ｘに沿って型抜きを行うことで、スライド型を追加で用いることなく、電気部品ケース５０と一体的に製造される。つまり、左右一対のガイド部５２、５３、及び、開口部５２ａ、５３ａは、上下方向Ｘに沿って型抜きを行うことで、スライド型を用いることなく、電気部品ケース５０と一体的に製造される。
【００２０】
また、電気部品ケース５０は、図１に示すように、左右一対のストッパ部７２、７３を備えていても良い。ストッパ部７２、７３は、ブラケット６０を取付方向Ｙに沿ってスライド可能に遊嵌すると共に、ブラケット６０の取付方向Ｙへの過剰な差し込みを防止する。このストッパ部７２、７３は、それぞれ、ガイド部５２、５３から取付方向Ｙに沿って所定の距離だけ離間させた位置に設置される。
【００２１】
左右一対のストッパ部７２、７３は、それぞれ、開口部７２ａ、７３ａが略反転された形状の第１の平板部７２ｂ、７３ｂと、第２の平板部７２ｃ、７３ｃと、第３の平板部７２ｄ、７３ｄとから構成される。以下、第３の平板部７２ｄ、７３ｄの詳細について説明する。尚、開口部７２ａ、７３ａ、第１の平板部７２ｂ、７３ｂ、及び第２の平板部７２ｃ、７３ｃの構成、作用、効果ついては、それぞれ、ガイド部５２、５３における、開口部５２ａ、５３ａ、第１の平板部５２ｂ、５３ｂ、及び第２の平板部５２ｃ、５３ｃの構成、作用、効果と同一であるので説明を省略する。
【００２２】
第３の平板部７２ｄ（７３ｄ）は、板状の形状であって、第１の平板部７２ｂ（７３ｂ）、及び第２の平板部７２ｃ（７３ｃ）により遊嵌されるブラケット６０の過剰な差し込みを防止すべく、第１の平板部７２ｂ（７３ｂ）、第２の平板部７２ｃ（７３ｃ）、及び開口部７２ａ（７３ｂ）の縁から構成される中空の一端を閉塞するように略上下方向Ｘに延設される。つまり、第３の平板部７２ｄ、７３ｄは、ブラケット６０の先端面６０ａに対向するように、略上下方向Ｘに延設される。第３の平板部７２ｄと第３の平板部７３ｄとの左右方向Ｚの隙間は、ブラケット６０の幅方向（左右方向Ｚ）寸法より十分小さめに設定される。このため、電気部品ケース５０をブラケット６０に取付ける際、第３の平板部７２ｄ、７３ｄがブラケット６０の先端面６０ｃに当接することで、ブラケット６０の取付方向Ｙへの過剰な差し込みを防止することができる。
【００２３】
尚、第３の平板部７２ｄ（７３ｄ）は、略上下方向Ｘに延設されて形成されているため、上下方向Ｘに沿って型抜きを行うことで、スライド型を用いることなく、電気部品ケース５０と一体的に製造される。つまり、左右一対のストッパ部７２、７３も、ガイド部５２、５３と同様に、略上下方向Ｘに沿って型抜きを行うことで、スライド型を追加で用いることなく、電気部品ケース５０と一体的に製造される。
【００２４】
電気部品ケース５０のロックアーム５１は、電気部品ケース５０の外面５０ｂから内底面５０ａまで略コの字状の貫通孔５４を略上下方向Ｘに貫通させることで構成され、コの字状の貫通孔５４の両端を結ぶ線を支軸として、電気部品ケース５０の内側に撓むことができる。このように、貫通孔５４を外面５０ｂに設置することで、電気部品ケース５０の内部の露出を取付方向Ｙについて抑制又は防止することができる。また、ロックアーム５１は、上述のように、貫通孔５４を略上下方向Ｘに貫通させることで構成されるため、ガイド部５２、５３、ストッパ部７２、７３と同様に、略上下方向Ｘに沿って型抜きを行うことで、スライド型を追加で用いることなく、電気部品ケース５０と一体的に製造される。
【００２５】
このロックアーム５１の外面５１ｂには、略三角柱状の係止突起５５が突設されている。略三角柱状の係止突起５５は、係止面５５ａと係止面５５ｂとを備え、係止面５５ａは、取付方向Ｙに対して略垂直な面となるように形成され、係止面５５ｂは、係止面５５ａの頂端５５ｃから、ブラケット６０の挿入される側に向けて、取付方向Ｙに沿って斜め下がりの面となるように形成される。係止突起５５の係止面５５ｂが取付方向Ｙに沿って押圧されると、ロックアーム５１は内側に撓み、係止突起５５が係合孔６１に対して没入する。
【００２６】
また、ロックアーム５１は、その特徴的な構成として、ブラケット６０の支持部６２の内側にスライド可能に支持された棒状体９１（図２参照）の先端面９１ａによって押圧されるための面８１ａであって、棒状体９１の先端面９１ａからの距離が下方向に向かって短くなる形状の面８１ａを有する被押圧部８１を備える。被押圧部８１の面８１ａは、係止突起５５の係止面５５ａの高さ方向（上下方向Ｘ）略中央から、係止面５５ｂとは反対側に向けて、取付方向Ｙに沿って斜め下がりの形状に設定されている。被押圧部８１の面８１ａが取付方向Ｙに沿って押圧されると、被押圧部８１に電気部品ケース５０の内側方向への力が作用する。これに伴って、ロックアーム５１が内側に撓み、係合孔６１と係止突起５５とのロックが解除される。この被押圧部８１は、ロックが容易に解除されないように、電気部品ケース５０をブラケット６０に取付けたとき、支持部６２の内側に当接しないように、支持部６２の内側に対して十分小さく形成される。
【００２７】
次に、電気部品ケース５０のブラケット６０への取付けについて説明する。ブラケット６０に対し、左右一対のガイド部５２、５３が引っ掛かった状態で、取付方向Ｙに沿って電気部品ケース５０を挿入させていくと、係止突起５５の係止面５５ｂが支持部６２の先端に当接する。この状態で、取付方向Ｙに沿って更に電気部品ケース５０を挿入させていくと、ロックアーム５１が電気部品ケース５０の内側に撓みながら、係止突起５５が支持部６２を通過し始める。さらに、取付方向Ｙに沿って電気部品ケース５０を挿入させていくと、左右一対のストッパ部７２、７３がブラケット６０を遊嵌し始める。ブラケット６０に対し電気部品ケース５０を挿入させる間、係止突起５５の頂端５５ｃが支持部６２の内側を通過するとき、ロックアーム５１は内側へ最も大きく撓む。係止突起５５の頂端５５ｃが支持部６２の内側を通過し終わると、ロックアーム５１の撓みが解除され、係合孔６１に対して係止突起５５が係合される。このようにして、電気部品ケース５０とブラケット６０とをロックすることができる。
【００２８】
続いて、ロックされた状態における電気部品ケース５０、ブラケット６０の関係について説明する。ロックされた状態において、係止孔６１に対して係止突起５５が係合されることで、電気製品ケース５０とブラケット６０との取付方向Ｙへの抜き止め、及び差し止めがなされている。これに加えて、係止面５５ａと第３の平板部７２ｄ（７３ｄ）との間に支持部６２が配置されることで、電気製品ケース５０とブラケット６０との取付方向への抜き止め、及び差し止めがより確実なものとされている。係止面５５ａ、第３の平板部７２ｄ、７３ｄは、いずれも、取付方向Ｙに略垂直な上下方向Ｘに沿って延設されて形成されているため、結果的に、取付方向Ｙへの差し止め、抜き止めをすることができる。
【００２９】
続いて、ブラケット６０への電気部品ケース５０の取付構造のロックの解除について説明する。図２は、図１の矢視Ａ−Ａから見た、ブラケット６０への電気部品ケース５０の取付構造のロックを解除する一例を示した断面図である。図１に示すように、ロックの解除は、ブラケット６０の先端側から取付方向Ｙに沿って、支持部６２の内側へ精密ドライバ等の棒状体９１を挿入させることで行う。棒状体９１を挿入させていくと、棒状体９１の先端面９１ａが被押圧部８１の面８１ａに当接する。この状態で、さらに棒状体９１を挿入させていくと、被押圧部８１が電気部品ケース５０の内側に撓む。これに伴って、ロックアーム５１が内側に撓み、係止突起５５が係合孔６１に対し没入し始める。棒状体９１を挿入させていく間、棒状体９１の先端面９１ａが係止面５５ａに当接するとき、ロックアーム５１の内側への撓みが最も大きくなり、係止突起５５が係合孔６１の内側へ没入する。この状態で、電気部品ケース５０を取付方向Ｙに沿って引き抜くと、係止突起５５が支持部６２の内側を通過して、係止突起５５と係合孔６１とのロックが解除される。さらに、電気部品ケース５０を取付方向Ｙに沿って引き抜くと、電気部品ケース５０とブラケット６０とを分離することができる。したがって、ロックアーム５１が周辺部品９２と電気部品ケース５０との手の届かない隙間に配置される場合であっても、ブラケット６０の支持部６２の内側へ取付方向Ｙに沿って棒状体９１を挿入し被押圧部８１を押圧することで、係合孔６１と係止突起５５とのロックを解除することができる。
【００３０】
このように、本実施例のブラケット６０への電気部品ケース５０の取付構造によれば、取付方向Ｙに対し略垂直な上下方向Ｘに沿って型抜きして電気部品ケース５０を製造することができ、電気部品ケース５０の内部の露出を取付方向Ｙについて防止できると共に、ロックアーム５１が車体パネル９０等の部材と電気部品ケース５０との手の届かない隙間に配置される場合であっても、ブラケット６０の支持部６２の内側へ略取付方向Ｙに沿って棒状体９１を挿入し被押圧部８１の面８１ａを押圧することで、係合孔６１と係止突起５５とのロックを解除することができる。
【００３１】
以上、本発明の好ましい実施例について詳説したが、本発明は、上述した実施例に制限されることはなく、本発明の範囲を逸脱することなく、上述した実施例に種々の変形及び置換を加えることができる。
【００３２】
例えば、本実施例の電気部品ケース５０は、図１に示すように、内底５０ａを有する四角形の箱形状としたが、電気部品ケース５０の内部の露出を取付方向Ｙについて抑制又は防止でき、スライド型を追加で用いることなく、取付方向Ｙに対して略垂直な上下方向Ｘに型抜きできる限り、その外周の形状に制限はなく、例えば、四角形の箱の側面のうち取付方向Ｙ以外の面の一部が欠けた形状であっても良く、或いは、内底５０ａを有する円筒状の形状であっても良い。
【００３３】
また、本実施例の左右一対のガイド部５２、５３は、図１に示すように、ブラケット６０の軸方向に対して軸対称に配置させたが、ブラケット６０を取付方向Ｙに沿ってスライド可能に遊嵌できる限り、例えば、ガイド部５２、５３をそれぞれ取付方向Ｙに沿って所定距離だけずらして配置させても良く、或いは、その個数を奇数個としても良く、その配置位置及び個数に制限はない。
【００３４】
また、本実施例の第１の平板部５２ｂ、５３ｂは、図１に示すように、略長方形の形状としたが、ブラケット６０を取付方向Ｙに沿ってスライド可能に遊嵌でき、スライド型を用いることなく、取付方向Ｙに対して略垂直な上下方向Ｘに型抜きできる限り、その形状に制限はなく、例えば、略半円の形状に形成させても良い。尚、第１の平板部５２ｂ、５３ｂは、開口部５２ａ、５３ａが略反転された形状に形成されるため、第１の平板部５２ｂ、５３ｂの形状が略半円の場合、開口部５２ａ、５３ａの形状も略半円となる。
【００３５】
また、本実施例の被押圧部８１の面８１ａは、係止突起５５の係止面５５ａの高さ方向（上下方向Ｘ）略中央から、係止面５５ｂとは反対側に向かって、取付方向Ｙに沿って斜め下がりの形状としたが、被押圧部８１は、棒状体９１の先端面９１ａからの距離が下方向に向かって短くなる面８１ａを有する限り、被押圧部８１の形状に制限はなく、例えば、被押圧部８１は係止突起５５とは独立した突起物としてロックアーム５１に突設しても良く、或いは、面８１ａは曲面であっても良い。
【００３６】
また、本実施例の支持部６２は、ブラケット６０の先端部において、その幅方向両側端から中央にかけて上方向に段状に屈曲して形成されるとしたが、ロックを解除するための棒状体９１（図２参照）を取付方向Ｙに沿ってスライド可能に支持することができる限り、その形状に制限はなく、例えば、ブラケット６０の先端面６０ａから係合孔６１まで取付方向Ｙに沿って貫通する溝として形成されても良い。
【図面の簡単な説明】
【００３７】
【図１】本実施例のブラケットへの電気部品ケースの取付構造の概略を示した図である。
【図２】図１の矢視Ａ−Ａから見た、ブラケット６０への電気部品ケース５０の取付構造のロックを解除する一例を示した断面図である。
【図３】従来の構成のブラケットへの電気部品ケースの取付構造を示した斜視図である。
【符号の説明】
【００３８】
５０    電気部品ケース
５１    ロックアーム
５２、５３    ガイド部
５２ａ、５３ａ    開口部
５２ｂ、５３ｂ    第１の平板部
５２ｃ、５３ｃ    第２の平板部
５４    係止突起
６０    ブラケット
６１    係合孔
６２    支持部
８１    被押圧部
９１    棒状体
【図１】
2008300697.tif 000003
【図２】
2008300697.tif 000004
【図３】
2008300697.tif 000005